(57)【要約】      （修正有）【課題】端子が相互に衝突、或いは圧迫しあうことで、変形が生じ、機能を失う状況の発生を回避することができ、しかも構造が簡単であるオーディオジャックコネクターを提供する。【解決手段】オーディオジャックコネクターは、絶縁本体、信号端子ユニット、スイッチ端子ユニットを備え、スイッチ端子ユニットは、可動状態で絶縁本体の同じ側に挿入され、しかも相互にスライド接触する固定端子１４１と可動端子を備え、可動端子の第二固定部１４２ａには、可動端子の抵触部１４２ｂに移動空間を提供する貫通孔１４２ｄを開設する。固定端子と可動端子とは、相互接触スライドを利用して、スイッチ機能を実現し、これにより空間を節減し、しかも可動端子の第二固定部には、抵触部に移動空間を提供する貫通孔を開設し、オーディオプラグ２００を抜き差しする過程において、貫通孔は、抵触部が固定端子及び/或いは可動端子の第二固定部に衝突、或いは圧迫しないよう、効果的に防止することができる。【選択図】図６
0003158294.tif 000002
【実用新案登録請求の範囲】
【請求項１】
絶縁本体、信号端子ユニット、スイッチ端子ユニットを備え、
前記絶縁本体上には、挿入接続孔及び複数の端子槽を備え、
前記挿入接続孔には、オーディオプラグを挿入し、
前記端子槽には、信号端子ユニットとスイッチ端子ユニットを収容して固定し、
前記スイッチ端子ユニットは、固定端子と可動端子を備え、
前記固定端子は、端子槽に可動状態で挿入される第一固定部を備え、
前記第一固定部の隣接する両側は、それぞれ湾曲して延伸し、接触部と第一溶接部を形成し、
前記接触部は、挿入接続孔内に進入し、前記第一溶接部は、絶縁本体外へと伸び出て、  前記可動端子は、端子槽に可動状態で挿入される第二固定部を備え、
前記第二固定部の隣接する両側は、それぞれ湾曲して延伸し、弾性構造を呈する抵触部と第二溶接部を形成し、
前記抵触部は、挿入接続孔内に進入し、しかも前記接触部と分離した状態で抵触し、
前記第二溶接部は、絶縁本体外へと伸び出て、
前記固定端子と前記可動端子とは、絶縁本体の同じ側に可動状態で挿入され、しかも相互にスライド接触し、
前記第一固定部と前記第二固定部とは並行に重なり、前記第一固定部から挿入接続孔の中心軸線までの距離は、前記第二固定部から挿入接続孔の中心軸線までの距離より大きく、
しかも、前記第二固定部には、前記抵触部に移動空間を提供する貫通孔を開設することを特徴とするオーディオジャックコネクター。
【請求項２】
請求項１記載のオーディオジャックコネクターにおいて、前記オーディオジャックコネクターは、前記可動端子と相対して設置する係合部品を備え、
前記係合部品の一端は、前記絶縁本体と固定して連接し、反対端は、挿入接続孔に進入することを特徴とするオーディオジャックコネクター。
【請求項３】
請求項１記載のオーディオジャックコネクターにおいて、前記信号端子ユニットは、伝導機能を備える複数の信号端子を備え、前記信号端子は、信号端子槽内の挿入接続部を備え、
前記挿入接続部の一端は、湾曲して延伸し、前記挿入接続孔内の対応接続部を形成し、反対端は、湾曲して延伸し、前記絶縁本体外へと伸び出る圧迫接続部を形成することを特徴とするオーディオジャックコネクター。
【請求項４】
請求項３記載のオーディオジャックコネクターにおいて、前記絶縁本体は、設置面を備え、
前記設置面には、並列した陥没部を設置し、
前記陥没部には、前記圧迫接続部、前記第一溶接部、前記第二溶接部を収容設置することを特徴とするオーディオジャックコネクター。
【考案の詳細な説明】
【技術分野】
【０００１】
本考案はコネクターに関し、特にオーディオジャックコネクターに関する。
【背景技術】
【０００２】
電子技術の発展に随い、携帯電話端末、ＭＰ３プレーヤーなどの小型電子設備が、幅広く応用されるようになっている。これにつれて、音声信号効果を発生するオーディオジャックコネクターの応用も広がっている。オーディオジャックコネクターの主要な機能は、音声信号の伝送を提供することである。
【０００３】
現在、比較的多く使用されているオーディオジャックコネクターは一般に、絶縁本体、複数の信号端子、１組のスイッチ端子ユニットを備える。信号端子とスイッチ端子ユニットは共に、絶縁本体上に開設する端子槽内に収容して固定する。スイッチ端子ユニットは、固定端子と可動端子を備える。固定端子は、第一固定部、接触部、第一溶接部を備える。可動端子は、第二固定部、抵触部、第二溶接部を備える。第一固定部と第二固定部とは、絶縁本体の端子槽内に固定され、第一溶接部と第二溶接部とは、絶縁本体外へと伸び出る。接触部と抵触部とは、絶縁本体内へと進入し、しかも相互に分離して抵触することができる。
【０００４】
オーディオプラグをオーディオジャックコネクターに挿入すると、オーディオプラグと抵触部とは相互に接触し、弾性構造の抵触部を呈し、移動を生じる。これにより、抵触部と接触部とは、相互に分離し、回路の伝導或いは切断を制御する機能を達成する。
しかし、抵触部が移動を生じる過程においては、抵触部は固定端子及び/或いは可動端子の第二固定部と衝突、或いは圧迫を生じやすいため、固定端子と可動端子の変形を招き、機能を失ってしまう恐れがある。
【考案の概要】
【考案が解決しようとする課題】
【０００５】
本考案の目的は、オーディオプラグとオーディオジャックコネクターとの抜き差し過程において、端子が相互に衝突し、或いは圧迫し合い、端子が機能を失う状況の発生を防止することができるオーディオジャックコネクターを提供することである。
【課題を解決するための手段】
【０００６】
上述の目的を実現するため、本考案は下記のオーディオジャックコネクターを提供する。
オーディオジャックコネクターは、絶縁本体、信号端子ユニット、スイッチ端子ユニットを備え、
該絶縁本体上には、挿入接続孔及び複数の端子槽を備え、
該挿入接続孔には、オーディオプラグを挿入し、
該端子槽には、信号端子ユニットとスイッチ端子ユニットを収容して固定し、
該スイッチ端子ユニットは、固定端子と可動端子を備え、
該固定端子は、端子槽に可動状態で挿入される第一固定部を備え、
該第一固定部の隣接する両側は、それぞれ湾曲して延伸し、接触部と第一溶接部を形成し、
該接触部は、挿入接続孔内に進入し、該第一溶接部は、絶縁本体外へと伸び出て、
該可動端子は、端子槽に可動状態で挿入される第二固定部を備え、
該第二固定部の隣接する両側は、それぞれ湾曲して延伸し、弾性構造を呈する抵触部と第二溶接部を形成し、
該抵触部は、挿入接続孔内に進入し、しかも該接触部と分離した状態で抵触し、
該第二溶接部は、絶縁本体外へと伸び出て、
該固定端子と該可動端子とは、絶縁本体の同じ側に可動状態で挿入され、しかも相互にスライド接触し、
該第一固定部と該第二固定部とは並行に重なり、該第一固定部から挿入接続孔の中心軸線までの距離は、該第二固定部から挿入接続孔の中心軸線までの距離より大きく、
しかも、該第二固定部には、前記抵触部に移動空間を提供する貫通孔を開設する。
【考案の効果】
【０００７】
本考案オーディオジャックコネクターは、オーディオジャックコネクター空間がどんどん狭められている状況にあって、固定端子と可動端子との間の相互接触スライド方式を利用して、スイッチ機能を実現し、これにより空間を節減し、しかも固定端子と可動端子との相互スライド接触が生じる摩擦効果により、端子上のほこりを拭い去ることができる。さらに、可動端子の第二固定部には、抵触部に移動空間を提供する貫通孔を開設することができる。これにより、オーディオプラグとオーディオジャックコネクターを抜き差しする過程において、貫通孔は、抵触部が固定端子及び/或いは可動端子の第二固定部に衝突、或いは圧迫しないよう、防止することができ、これにより、端子が相互に衝突、或いは圧迫しあうことで、変形が生じ、機能を失う状況の発生を回避することができ、しかも構造が簡単である。
【図面の簡単な説明】
【０００８】
【図１】本考案一実施例のオーディオジャックコネクターの構造模式図である。
【図２】図１に示すオーディオジャックコネクターの別の角度からの構造模式図である。
【図３】図２に示すオーディオジャックコネクターの分解模式図である。
【図４】図２に示すオーディオジャックコネクターのスイッチ端子ユニットの構造模式図である。
【図５】本考案オーディオジャックコネクターにオーディオプラグヘッドを挿入する様子を示す構造模式図である。
【図６】図５に示すオーディオジャックコネクターのスイッチ端子ユニットとオーディオプラグヘッドの構造模式図である。
【考案を実施するための形態】
【０００９】
図１〜３に示すように、本考案オーディオジャックコネクター１００は、絶縁本体、信号端子ユニット、スイッチ端子ユニット、係合部品１６を備える。信号端子ユニットは、伝導機能を備える３個の信号端子１２１、１２２、１２３を備える。スイッチ端子ユニットは、固定端子１４１、可動端子１４２を備える。
【００１０】
具体的には、図２、３に示すように、絶縁本体１０上には、第一端子槽１０１、第二端子槽１０２、第三端子槽１０３、第四端子槽１０４、及び挿入接続孔１０５を備える。上記した端子槽は、信号端子ユニットとスイッチ端子ユニットの各端子を収容して固定する。挿入接続孔１０５には、オーディオプラグ２００を挿入し、信号の伝送を実現する。絶縁本体１０はさらに、設置面１０６を備える。設置面１０６には、並列する陥没部１０６aを設置する。陥没部１０６aには、信号端子ユニットとスイッチ端子ユニットの複数の端子を収容設置する。
【００１１】
図３、４に示すように、本考案のオーディオジャックコネクター１００のスイッチ端子ユニットの固定端子１４１は、第一固定部１４１aを備える。第一固定部１４１aの隣接する両側は、それぞれ湾曲して延伸し、接触部１４１bと第一溶接部１４１cを形成する。第一固定部１４１aにより、固定端子１４１は、絶縁本体１０の第一端子槽１０１内に可動状態で挿入される。接触部１４１bは、挿入接続孔１０５内に進入し、第一溶接部１４１cは、絶縁本体１０外へと伸び出て、しかも絶縁本体１０の陥没部１０６aに収容設置される。
可動端子１４２は、第二固定部１４２aを備える。第二固定部１４２aの隣接する両側は、それぞれ湾曲して延伸し、弾性構造を呈する抵触部１４２bと第二溶接部１４２cを形成する。第二固定部１４２aにより、可動端子１４２は、絶縁本体１０の第二端子槽１０２内に可動状態で挿入される。抵触部１４２bは、挿入接続孔１０５内に進入し、しかも接触部１４１bと分離した状態で抵触する。第二溶接部１４２cは、絶縁本体１０外へと伸び出て、しかも絶縁本体１０の陥没部１０６aに収容設置される。
【００１２】
具体的には、固定端子１４１と可動端子１４２とは、絶縁本体１０の同じ側に開設された第一端子槽１０１と第二端子槽１０２内に可動状態で挿入される。固定端子１４１と可動端子１４２との間は、相互にスライド接触が可能である。第一固定部１４１aと第二固定部１４２aとは並行に重なり、第一固定部１４１aから挿入接続孔１０５の中心軸線までの距離は、第二固定部１４２aから挿入接続孔１０５の中心軸線までの距離より大きい。しかも、第二固定部１４２a上には、抵触部１４２bに移動空間を提供する貫通孔１４２dを開設する(図４参照)。
【００１３】
具体的には、伝導機能を備える３個の信号端子１２１、１２２、１２３は共に、挿入接続部(第一挿入接続部１２１a、第二挿入接続部１２２a、第三挿入接続部１２３a)を備える。挿入接続部の一端は、湾曲して延伸し、対応接続部(第一対応接続部１２１b、第二対応接続部１２２b、第三対応接続部１２３b)を形成し、反対端は、湾曲して延伸し、圧迫接続部(第一圧迫接続部１２１c、第二圧迫接続部１２２c、第三圧迫接続部１２３c)を形成する。第一挿入接続部１２１aは、第四端子槽１０４に挿入され、第二挿入接続部１２２aはと第三挿入接続部１２３aとは、端子槽(図示なし)内へと挿入される。第一対応接続部１２１b、第二対応接続部１２２b、第三対応接続部１２３bとは、挿入接続孔１０５内へと進入する。第一圧迫接続部１２１c、第二圧迫接続部１２２c、第三圧迫接続部１２３cとは、絶縁本体１０外へと伸び出て、しかも陥没部１０６a内に収容設置される。
【００１４】
具体的には、係合部品１６と可動端子１４２とは相対状に設置し、係合固定部１６１、湾曲部１６２を備える。係合固定部１６１と絶縁本体とは、固定して連接し、係合固定部１６１の一端は、延伸して湾曲部１６２を形成し、湾曲部１６２は、挿入接続孔１０５内に進入する。オーディオプラグ２００を挿入接続孔１０５に挿入すると、湾曲部１６２と可動端子１４２の抵触部１４２bとは、相互に対応して、オーディオプラグ２００を挟持し、安定性を大幅に向上させることができる。
【００１５】
図５、６に示すように、オーディオプラグ２００を、オーディオジャックコネクター１００に未挿入の時には、抵触部１４２bと接触部１４１bとは、緊密に接触し、接触部１４１bは、外へと開いた状態を呈する。オーディオプラグ２００がオーディオジャックコネクター１００に挿入されると、オーディオプラグ２００と３個の信号端子１２１、１２２、１２３の第一対応接続部１２１b、第二対応接続部１２２b、第三対応接続部１２３bは接触し、信号の伝送を実現する。抵触部１４２bは、オーディオプラグ２００に圧迫され、下方へと移動し、作業高度まで移動を続ける。接触部１４１bはスライドしてもとの位置に戻り、しかも抵触部１４２bと接触部１４１bとは完全に分離し、こうして、スイッチ機能を実現する。可動端子１４２の抵触部１４２bが、オーディオプラグ２００の圧迫を受け、移動を生じる過程において、抵触部１４２bは貫通孔１４２d内に進入する。こうして、抵触部１４２bが、固定端子１４１及び/或いは可動端子１４２の第二固定部１４２aに衝突、或いは圧迫しないよう、防止することができ、これにより、端子が相互に衝突、或いは圧迫しあうことで、変形が生じ、機能を失う状況の発生を回避することができる。
【００１６】
上記したように、本考案オーディオジャックコネクター１００は、オーディオジャックコネクター空間がどんどん狭められている状況にあって、固定端子１４１と可動端子１４２との間の相互接触スライド方式を利用して、スイッチ機能を実現し、これにより空間を節減し、しかも固定端子１４１と可動端子１４２との相互スライド接触が生じる摩擦効果により、端子上のほこりを拭い去ることができる。さらに、可動端子１４２の第二固定部１４２aには、抵触部１４２bに移動空間を提供する貫通孔１４２dを開設することができる。これにより、オーディオプラグ２００とオーディオジャックコネクター１００を抜き差しする過程において、貫通孔１４２dは、抵触部１４２bが固定端子１４１及び/或いは可動端子１４２の第二固定部１４２aに衝突、或いは圧迫しないよう、防止することができ、これにより、端子が相互に衝突、或いは圧迫しあうことで、変形が生じ、機能を失う状況の発生を回避することができ、しかも構造が簡単である。
【符号の説明】
【００１７】
１００  オーディオジャックコネクター
１０  絶縁本体
１０１  第一端子槽
１０２  第二端子槽
１０３  第三端子槽
１０４  第四端子槽
１０５  挿入接続孔
１０６  設置面
１０６a  陥没部
１２１  第一端子
１２１a  第一挿入接続部
１２１b  第一対応接続部
１２１c  第一圧迫接続部
１２２  第二端子
１２２a  第二挿入接続部
１２２b  第二対応接続部
１２２c  第二圧迫接続部
１２３  第三端子
１２３a  第三挿入接続部
１２３b  第三対応接続部
１２３c  第三圧迫接続部
１４１  固定端子
１４１a  第一固定部
１４１b  接触部
１４１c  第一溶接部
１４２  可動端子
１４２a  第二固定部
１４２b  抵触部
１４２c  第二溶接部
１４２d  貫通孔
１６  係合部品
１６１  係合固定部
１６２  湾曲部
２００  オーディオプラグ
【図１】
0003158294.tif 000003
【図２】
0003158294.tif 000004
【図３】
0003158294.tif 000005
【図４】
0003158294.tif 000006
【図５】
0003158294.tif 000007
【図６】
0003158294.tif 000008